(57)【要約】【課題】洗剤を使用せず、水で浴室内の洗浄を行う。【解決手段】本体ケース２内に設けた送風ファン６と液体微細化手段７と、単一もしくは複数種のノズルを備えたミスト噴霧手段と、浴室内湿度を検知する湿度センサー９と、プレミスト運転を作動させるプレミストスイッチ１１と、前記プレミスト運転時に、湿度センサー９の信号により液体微細化手段７とミスト噴霧手段８とを制御する制御手段１０を備え、制御手段１０は、プレミストスイッチ１１を入に設定すると稼働し、湿度センサー９が浴室内湿度を測定して湿度１００％に達するまで液体微細化手段７とミスト噴霧手段８とを運転する機構を備えたプレミスト運転を行った後に入浴することで、入浴時に発生する汚れを水膜に付着させて、入浴後に水をかけるだけで汚れを流し落とすことが可能となる浴室防汚装置１を得られる。【選択図】図１
2019209089.tif 000002
【特許請求の範囲】
【請求項１】
吸気口と送風口を有する本体ケースと、
前記本体ケース内の前記吸気口と前記送風口を結ぶ風路に設けた送風ファンと、
前記送風ファンと前記送風口間の風路内に設けた液体微細化手段と、
単一もしくは複数種のノズルを備えたミスト噴霧手段と、
浴室内湿度を検知する湿度センサーと、
プレミスト運転を作動させるプレミストスイッチと、
前記プレミスト運転時に、前記湿度センサーの信号に応じて前記液体微細化手段とミスト噴霧手段とを制御する制御手段を備え、
前記制御手段は、前記プレミストスイッチを入に設定すると稼働し、
前記湿度センサーが浴室内湿度を測定して湿度１００％に達するまで前記液体微細化手段とミスト噴霧手段を運転し、
浴室内湿度が１００％に達したら前記液体微細化手段とミスト噴霧手段の運転を停止する機構を備えた浴室防汚装置。
【請求項２】
ミスト洗浄運転を作動させるミスト洗浄スイッチを備え、
前記制御手段が前記ミスト洗浄運転時に、前記液体微細化手段と前記送風ファンを制御して浴室壁面にミストを噴霧する請求項１記載の浴室防汚装置。
【請求項３】
前記液体微細化手段とミスト噴霧手段に供給される酸性の電解水の生成部と、前記酸性の電解水の供給を開閉する給水切替手段とを備えた請求項１または２に記載の浴室防汚装置。
【発明の詳細な説明】
【技術分野】
【０００１】
本発明は、浴室壁面の防汚と洗浄性向上をおこなう浴室防汚装置に関するものである。
【背景技術】
【０００２】
従来、浴室内を洗浄することを目的として浴室壁面に洗浄手段を取り付け、洗浄手段は浴室内の浴槽と洗い場に散水と洗剤の噴霧を行い、その後換気することで浴室内をある程度乾燥した状態で洗浄を終了できる技術が知られている（例えば、特許文献１を参照）。
【先行技術文献】
【特許文献】
【０００３】
【特許文献１】特開平１０−２１６０６８号公報
【発明の概要】
【発明が解決しようとする課題】
【０００４】
このような従来の浴室洗浄装置では、汚れ除去のために洗剤を使用しなければならなかった。
【０００５】
そこで、本発明は、入浴後に水をかけるだけで水膜と共に汚れを流し落とすことが可能となる浴室防汚装置を提供することを目的とする。
【課題を解決するための手段】
【０００６】
そして、この目的を達成するために、本発明に係る浴室防汚装置は、吸気口と送風口を有する本体ケースと、前記本体ケース内の前記吸気口と前記送風口を結ぶ風路に設けた送風ファンと、前記送風ファンと前記送風口間の風路内に設けた液体微細化手段と、単一もしくは複数種のノズルを備えたミスト噴霧手段と、浴室内湿度を検知する湿度センサーと、プレミスト運転を作動させるプレミストスイッチと、前記プレミスト運転時に、前記湿度センサーの信号に応じて前記液体微細化手段とミスト噴霧手段とを制御する制御手段を備え、前記制御手段は、前記プレミストスイッチを入に設定すると稼働し、前記湿度センサーが浴室内湿度を測定して湿度１００％に達するまで前記液体微細化手段とミスト噴霧手段を運転し、浴室内湿度が１００％に達したら前記液体微細化手段とミスト噴霧手段の運転を停止する機構を備えたものであり、これにより所期の目的を達成するものである。
【発明の効果】
【０００７】
本発明によれば、吸気口と送風口を有する本体ケースと、前記本体ケース内の前記吸気口と前記送風口を結ぶ風路に設けた送風ファンと、前記送風ファンと前記送風口間の風路内に設けた液体微細化手段と、浴室内湿度を検知する湿度センサーと、プレミスト運転を作動させるプレミストスイッチと、前記プレミスト運転時に、前記湿度センサーと液体微細化手段を制御する制御手段を備え、前記制御手段は、前記プレミストスイッチを入に設定すると稼働し、前記湿度センサーが浴室内湿度を測定して湿度１００％に達するまで前記液体微細化手段を運転し、浴室内湿度が１００％に達したら前記液体微細化手段とミスト噴霧手段の運転を停止する機構吸気口と送風口を有する本体ケースと、前記本体ケース内の前記吸気口と前記送風口を結ぶ風路に設けた送風ファンと、前記送風ファンと前記送風口間の風路内に設けた液体微細化手段と、単一もしくは複数種のノズルを備えたミスト噴霧手段と、浴室内湿度を検知する湿度センサーと、プレミスト運転を作動させるプレミストスイッチと、前記プレミスト運転時に、前記湿度センサーの信号に応じて前記液体微細化手段とミスト噴霧手段とを制御する制御手段を備え、前記制御手段は、前記プレミストスイッチを入に設定すると稼働し、前記湿度センサーが浴室内湿度を測定して湿度１００％に達するまで前記液体微細化手段とミスト噴霧手段を運転し、浴室内湿度が１００％に達したら前記液体微細化手段とミスト噴霧手段の運転を停止する機構を備えたことにより、入浴後に水をかけるだけで水膜と共に汚れを流し落とすことが可能となる浴室防汚装置を提供することができる。
【図面の簡単な説明】
【０００８】
【図１】本発明の実施の形態１、２の浴室防汚装置の概略図
【図２】同プレミスト運転時の制御を示すフローチャート
【図３】本発明の実施の形態３に記載された浴室防汚装置の概略図
【発明を実施するための形態】
【０００９】
本発明の請求項１に係る浴室防汚装置は、吸気口と送風口を有する本体ケースと、前記本体ケース内の前記吸気口と前記送風口を結ぶ風路に設けた送風ファンと、前記送風ファンと前記送風口間の風路内に設けた液体微細化手段と、単一もしくは複数種のノズルを備えたミスト噴霧手段と、浴室内湿度を検知する湿度センサーと、プレミスト運転を作動させるプレミストスイッチと、前記プレミスト運転時に、前記湿度センサーの信号に応じて前記液体微細化手段とミスト噴霧手段とを制御する制御手段を備え、前記制御手段は、前記プレミストスイッチを入に設定すると稼働し、前記湿度センサーが浴室内湿度を測定して湿度１００％に達するまで前記液体微細化手段とミスト噴霧手段とを運転し、浴室内湿度が１００％に達したら前記液体微細化手段とミスト噴霧手段の運転を停止する機構を備えたものである。
【００１０】
これにより、浴室壁面に結露による１０〜１０００μｍの水膜を形成することができるので、プレミスト運転を行った後に入浴することで、入浴時に発生する汚れを水膜に付着させることができるので、入浴後に水をかけるだけで水膜と共に汚れを流し落とすことが可能となる。
【００１１】
また、請求項２に係る浴室防汚装置は、ミスト洗浄運転を作動させるミスト洗浄スイッチを備え、前記制御手段が前記ミスト洗浄運転時に、前記液体微細化手段と前記送風ファンを制御して浴室壁面にミストを噴霧するものである。
【００１２】
これにより、入浴後にミスト洗浄運転を行うことで、自動で水膜と共に汚れを流し落とすことが可能となるため、使用者が入浴後に水をかける手間を省くことができる。
【００１３】
また、請求項３に係る浴室防汚装置は、前記液体微細化手段とミスト噴霧手段に供給される酸性の電解水の生成部と、前記酸性の電解水の供給を開閉する給水切替手段とを備えたことを特徴とする。
【００１４】
これにより、洗浄を繰り返して水垢の形成がされた際には、１０〜１０００μｍの酸性電解水の水膜を生成し、一定時間保持することで、アルカリ性である水垢と反応させて、反応後ミスト噴霧を行うことで、水垢を洗浄することが可能となる。
【００１５】
以下、本発明の実施の形態について図面を参照しながら説明する。
【００１６】
（実施の形態１）
図１に示すように、浴室防汚装置１は、浴室内に下面を開口して設置することができる本体ケース２を備えている。
【００１７】
本体ケース２は、下面に吸気口３と送風口４を有し、本体ケース２内の吸気口３と送風口４を結ぶ風路には、加熱手段５と、送風ファン６と、液体微細化手段７と、ミスト噴霧手段８とを備えている。
【００１８】
また、浴室防汚装置１は、浴室内湿度を検知する湿度センサー９を有し、液体微細化手段７と湿度センサー９を制御する制御手段１０を備えている。制御手段１０は、プレミスト運転を作動させるプレミストスイッチ１１に接続している。
【００１９】
液体微細化手段７は、間隔を開けて積層した円盤を回転させることにより、下部から給水した水を上部で遠心力により水滴として飛散させ、飛散した水滴を液体微細化手段７ケースの内壁に衝突させて破砕し、水の微細化を促進させる。
【００２０】
ミスト噴霧手段８は、供給された液体を噴霧するものであり、単一もしくは複数種のノズルを設けることができる。本実施の形態に示す浴室防汚装置１においては、効率的に浴室内を加湿するために、前記単一もしくは複数種のノズルは吹出し粒径０．１〜１μｍのミストを噴霧できるものが好ましい。
【００２１】
上記構成において、本実施の形態のプレミスト運転の動作を図２に示す。
【００２２】
入浴前に、使用者がプレミストスイッチ１１を入に設定すると制御手段１０が前記湿度センサー９の動作を制御し、浴室内湿度を測定する。湿度が１００％に達していれば、その時点でプレミスト運転は行わない（または終了）となるが、湿度が１００％未満であれば、液体微細化手段７とミスト噴霧手段８とを運転して湿度が１００％に達するまで浴室内を加湿し、浴室内湿度が１００％に達したら液体微細化手段７とミスト噴霧手段８の運転を停止してプレミスト運転を終了する。
【００２３】
浴室内湿度が１００％の状態であれば、浴室壁面には、結露が発生し１０〜１０００μｍの水膜が形成される。
【００２４】
すなわち、この状態で入浴をすることで、入浴時に発生する皮脂、シャンプーや石鹸等の洗浄剤、金属石鹸のような汚れ成分を水膜に付着させることができる。これらの汚れは、通常の入浴では壁面に直接付着する。入浴後にシャワーで壁面を洗い流すことで、この付着汚れを低減できることが知られているが、シャワー洗浄のみでは落ちにくい汚れもあり、効果を上げるためには洗剤を使用する必要がある。
【００２５】
しかし、前記プレミスト運転の効果によれば入浴後にシャワーなどで水をかけるだけで水膜と共に汚れを流し落とすことが可能となり、洗剤の使用がなくても高い洗浄効果を得ることができる。
【００２６】
なお、プレミスト運転後の浴室内は湿度がほぼ１００％の状態となり、そのまま入浴すると使用者が不快に感じる恐れもある。
【００２７】
そこで、浴室内の高湿度空気を排除できる構成を備え、外気を取り入れて湿度を低下させる除湿運転をプレミスト運転後５分程行うこともできる。具体的には、本体ケース２内に、送風ファン６の吹き出し口を切り替えて浴室外へ排気を行う排気風路と、送風ファン６の吸い込み口へ外気を給気する給気風路を設けることが可能である。
【００２８】
この時、浴室内空気中の湿度は一時的に低下するが、生じた水膜が瞬間的に乾燥することは無く、また使用者が入浴することで再度湿度が上昇するため、すでに形成した水膜には影響しない。
【００２９】
なお、本実施の形態において加熱手段５は必須の構成ではない。
【００３０】
（実施の形態２）
本実施の形態では、実施の形態１と同一の構成要件については同一の符号を付し、その詳細な説明は省略する。
【００３１】
図１に示すように、浴室防汚装置１は、ミスト洗浄運転を作動させるミスト洗浄スイッチ１２を備え、制御手段１０が前記ミスト洗浄運転時に、液体微細化手段７と送風ファン６を制御して浴室壁面にミストを噴霧するものである。
【００３２】
本実施の形態におけるミスト噴霧手段８は、吹出したミストが気化することなく壁面に到達し、壁面を洗い流すことができるため、前記プレミスト運転の時とは別に吹出し粒径１００〜２００μｍのミストを噴霧できるものを備えることが好ましい。
【００３３】
これにより、入浴後にミスト洗浄運転を行うことで、人の手を煩わせることなく自動で水膜と共に汚れを流し落とすことが可能となるため、使用者が入浴後に水をかける手間を省くことができる。
【００３４】
また、加熱手段５は、吸気口３から入った空気を温めて温風をつくり、その温風を送風ファン６で浴室内に送風することで、ミストを噴霧して水膜と共に汚れを流し落した後の浴室内をすばやく乾燥させることができる。
【００３５】
なお、実施の形態１と同様に送風ファン６に排気と給気を行うダクトを繋いで、浴室内の高湿度空気を排除し、外気を長時間取り入れて乾燥させても良い。
【００３６】
乾燥は、タイマー運転を行い一定時間経過後に停止するのでも良いが、例えば水分量センサーを設置することで浴室壁面の水分量を測定し、乾燥したことを検知してから停止することもできる。
【００３７】
（実施の形態３）
実施の形態１および実施の形態２と同様の構成要素については同一の符号を付し、その詳細な説明は省略する。図３に示すように、本実施の形態の浴室防汚装置１は、浴室内に下面を開口して設置する本体ケース２を備え、下面に吸気口３と送風口４を有している。
【００３８】
液体微細化手段７と、ミスト噴霧手段８とに水を供給する給水管１９の上流部には、酸性電解水生成部１３と、酸性水切替手段１４と、塩酸タンク１５と、塩酸供給手段１６と、酸性水濃度調整手段１７と、水道水供給手段１８とを備えている。
【００３９】
酸性電解水生成部１３は、電気分解装置２０（図示せず）を備え、水道水と塩酸の供給に基づいて電解水を生成するものである。
【００４０】
酸性水切替手段１４は、前記電解水の供給を開閉するノズル用電磁弁である。
【００４１】
塩酸供給手段１６は、塩酸の供給を開閉するノズル電磁弁である。
【００４２】
酸性水濃度調整手段１７は、水道水を酸性電解水生成部１３へ供給して塩酸と水道水の混合率を調整するノズル電磁弁である。
【００４３】
水道水供給手段１８は、水道水のみの噴霧時に開放する電磁弁である。
【００４４】
上記構成において、酸性電解水生成部１３は、塩酸供給手段１６により塩酸タンク１５から供給された塩酸と酸性水濃度調整手段１７から供給された水道水とを混合して２％程度の塩酸水溶液を生成する。続けて制御手段１０からの信号で電気分解装置２０へ電圧を印加することにより塩酸水溶液を電解して、塩酸を遊離させることにより、酸性の電解水を生成する。
【００４５】
酸性電解水生成部１３で生成された酸性の電解水は、酸性水切替手段１４としてのノズル用電磁弁を介して、液体微細化手段７とミスト噴霧手段８のいずれか一方、あるいは両方に供給可能となる。
【００４６】
そして、浴室内の清掃時には、酸性水切替手段１４としてのノズル用電磁弁が開放されて、浴室内に酸性電解水が噴霧され、１０〜１０００μｍの酸性電解水膜を生成する。この場合、水道水供給手段１８は閉止している。
【００４７】
電気分解装置２０に電圧を印加していない時には、塩酸供給手段１６が閉じていて、塩酸タンク１５から酸性電解水生成部１３に塩酸の供給も行われず、酸性水濃度調整手段１７から酸性電解水生成部１３に水道水の供給も行われない。加えて酸性水切替手段１４も閉止しているので浴室へ酸性電解水の噴霧は行われない。水道水供給手段１８が開放すると水道水が供給され、電解されていない水道水が噴霧させることができる。
【００４８】
実施の形態１ならびに２に記載したプレミストの運転を長期にわたって実施することにより、水道水に含まれる水垢汚れが蓄積されるが、蓄積した後であっても実施の形態３に記載した酸性電解水の噴霧をすることにより、酸性電解水の膜とアルカリ性である水垢汚れが反応して、水垢汚れの固着が緩和される。それにより汚れが柔らかくなり、洗浄しやすくなる。そのため、実施の形態３の実施後に水道水を噴霧することで、蓄積した水垢汚れを洗浄することができる。
【産業上の利用可能性】
【００４９】
本発明に係る浴室防汚装置は、浴室壁面に付着する汚れを、洗剤を使用せず効果的に洗浄するものとして活用が期待されるものであり、同様の機能を有するミストサウナ、浴室換気乾燥機に搭載することも有用である。
【符号の説明】
【００５０】
１    浴室防汚装置
２    本体ケース
３    吸気口
４    送風口
５    加熱手段
６    送風ファン
７    液体微細化手段
８    ミスト噴霧手段
９    湿度センサー
１０    制御手段
１１    プレミストスイッチ
１２    ミスト洗浄スイッチ
１３    酸性電解水生成部
１４    酸性水切替手段
１５    塩酸タンク
１６    塩酸供給手段
１７    酸性水濃度調整手段
１８    水道水供給手段
１９    給水管
２０    電気分解装置
【図１】
2019209089.tif 000003
【図２】
2019209089.tif 000004
【図３】
2019209089.tif 000005